【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
コンテンツ・フィードにおいてコンテンツを動的にフィルターするためのコンピューター実装方法であって、
コンピューターによって、複数のビューを提示するユーザー・インターフェースを表示するステップであって、前記ユーザー・インターフェースが、前記複数のビューの間を切り替え、通知を表示するためのタイトル・バーを含み、前記タイトル・バーが、現在隠れている複数の追加のビュー名を選択させるためにユーザー制御の隣に単一のビュー名を表示し、前記タイトル・バーが更に、前記ユーザー・インターフェースに前記通知の内少なくとも１つを表示し、前記複数のビューが、前記コンテンツ・フィードのユーザーによって生成されるコンテンツを含む、ステップと、
前記コンピューターによって、前記ユーザー・インターフェースにおける前記複数のビューのそれぞれの提示の間に、前記コンテンツの種別および優先度に基づいて、前記複数のビューのそれぞれにおいて前記コンテンツをフィルターするステップと
を含む、方法。
【請求項２】
請求項１記載の方法において、コンピューターによって、複数のビューを提示するユーザー・インターフェースを表示する前記ステップにおいて、前記複数のビューが前記コンテンツ・フィードのユーザーによって生成されるコンテンツを含み、当該表示するステップが、前記ユーザー・インターフェースにおいて現在のビューを表示するステップを含む、方法。
【請求項３】
請求項２記載の方法において、前記ユーザー・インターフェースにおいて現在のビューを表示する前記ステップが、前記ユーザー・インターフェースを開始すると、前記コンテンツ・フィードにおいてユーザーがフォローしている複数の投稿を含むデフォルトのビューを表示するステップを含む、方法。
【請求項４】
請求項２記載の方法において、前記ユーザー・インターフェースにおいて現在のビューを表示する前記ステップが、前記現在のビューに表示されるフィルター可能なコンテンツの異なる種別間を区別するために、シンボルおよびテキストの内少なくとも１つを表示するステップを含む、方法。
【請求項５】
請求項２記載の方法であって、更に、
前記複数のビューにおいて、前記現在のビューから他のビューに切り替えるために、前記タイトル・バー内に入力を受けるステップと、
前記ユーザー・インターフェース内に前記他のビューを表示するステップであって、前記他のビューにおける新規のコンテンツが前記ユーザー・インターフェースにおいてハイライトされる、ステップと
を含む、方法。
【請求項６】
請求項２記載の方法であって、更に、前記現在のビューの表示の間に、前記ユーザー・インターフェースの前記タイトル・バーに新規のコンテンツ・アラートを表示するステップを含み、前記新規のコンテンツ・アラートが前記複数のビューにおける少なくとも１つの他のビューについてのアラートを含む、方法。
【請求項７】
請求項１記載の方法であって、コンピューターによって、複数のビューを提示するユーザー・インターフェースを表示する前記ステップにおいて、前記複数のビューが、前記コンテンツ・フィードのユーザーによって生成されるコンテンツを含み、当該表示するステップが、フォロー中ビュー、＠自分ビュー、行動ビュー、リンク・ビュー、好みビュー、およびカスタム・ビューの内１つ以上を表示するステップを含む、方法。
【請求項８】
請求項１記載の方法において、前記コンピューターによって、前記ユーザー・インターフェースにおける前記複数のビューのそれぞれの提示の間に、前記コンテンツの種別および優先度に基づいて、前記複数のビューのそれぞれにおいて前記コンテンツをフィルターする前記ステップが、前記コンテンツ・フィードのユーザーによってフォローされている１つ以上の投稿、前記コンテンツ・フィードのユーザーについて言及する１つ以上の投稿、前記コンテンツ・フィードのユーザーに関わる活動についての１つ以上の投稿、前記コンテンツ・フィードのユーザーによって投稿される１つ以上のリンク、および前記コンテンツ・フィードのユーザーによって好まれていると識別される１つ以上の投稿の内の１つ以上に基づいて前記コンテンツをフィルターするステップを含む、方法。
【請求項９】
請求項１記載の方法において、前記コンピューターによって、前記ユーザー・インターフェースにおける前記複数のビューのそれぞれの提示の間に、前記コンテンツの種別および優先度に基づいて、前記複数のビューのそれぞれにおいて前記コンテンツをフィルターする前記ステップが、
前記コンテンツ・フィードにおける投稿を年代順にソートするステップと、
前記コンテンツ・フィードにおいて最近変更された投稿済みコンテンツに基づいて、前記コンテンツ・フィードにおいて投稿をソートするステップと
を含む、方法。
【請求項１０】
マイクロブログ・フィードにおいてコンテンツを動的にフィルターするためのコンピューター・システムであって、
実行可能なプログラム・コードを格納するメモリと、
該メモリに機能的に結合されたプロセッサーであって、前記プログラム・コードに収容されたコンピューター実行可能命令に応答して、
複数のビューを提示するユーザー・インターフェースを表示することであって、該ユーザー・インターフェースが、前記複数のビューの間を切り替え、通知を表示するタイトル・バーを含み、前記タイトル・バーが、現在隠れている複数の追加のビュー名を選択させるためにユーザー制御の隣に単一のビュー名を表示し、前記タイトル・バーが更に、前記ユーザー・インターフェースに前記通知の内少なくとも１つを表示し、前記複数のビューが前記マイクロブログ・フィードのユーザーによって生成されるコンテンツを含むこと、および
前記ユーザー・インターフェースにおける前記複数のビューのそれぞれの提示の間に、前記コンテンツの種別および優先度に基づいて、前記複数のビューのそれぞれにおいて前記コンテンツをフィルターすること
を行うように動作可能なプロセッサーと
を備える、システム。
【請求項１１】
請求項１０記載のシステムにおいて、前記プロセッサーが、更に、複数のビューを提示するためにユーザー・インターフェースを表示する際に、前記複数のビューが前記マイクロブログ・フィードのユーザーによって生成されるコンテンツを含み、前記ユーザー・インターフェースにおいて現在のビューを表示するように動作可能である、システム。
【請求項１２】
請求項１１記載のシステムにおいて、前記プロセッサーが、更に、前記ユーザー・インターフェースにおいて現在のビューを表示する際に、前記ユーザー・インターフェースを開始すると、前記マイクロブログ・フィードにおいてユーザーがフォローしている複数の投稿を含むデフォルトのビューを表示するように動作可能である、システム。
【請求項１３】
請求項１１記載のシステムにおいて、前記プロセッサーが、更に、前記ユーザー・インターフェースにおいて現在のビューを表示する際に、前記現在のビューに表示されるフィルター可能なコンテンツの異なる種別間を区別するために、シンボルおよびテキストの内少なくとも１つを表示するように動作可能である、システム。
【請求項１４】
請求項１１記載のシステムにおいて、前記プロセッサーが、更に、
前記複数のビューにおいて、前記現在のビューから他のビューに切り替えるために、前記タイトル・バー内に入力を受けること、および
前記ユーザー・インターフェース内に前記他のビューを表示することであって、前記他のビューにおける新規のコンテンツが前記ユーザー・インターフェースにおいてハイライトされること
を行うように動作可能である、システム。
【請求項１５】
請求項１１記載のシステムにおいて、前記プロセッサーが、更に、前記現在のビューの表示の間に、前記ユーザー・インターフェースの前記タイトル・バーに新規のコンテンツ・アラートを表示するように動作可能であり、前記新規のコンテンツ・アラートが前記複数のビューにおける少なくとも１つの他のビューについてのアラートを含む、システム。
【請求項１６】
請求項１１記載のシステムにおいて、前記複数のビューが、フォロー中ビュー、＠自分ビュー、行動ビュー、リンク・ビュー、好みビュー、およびカスタム・ビューを含む、システム。
【請求項１７】
請求項１１記載のシステムにおいて、前記プロセッサーが、更に、前記ユーザー・インターフェースにおける前記複数のビューのそれぞれの提示の間に、前記コンテンツの種別および優先度に基づいて、前記複数のビューのそれぞれにおいて前記コンテンツをフィルターする際に、前記マイクロブログ・フィードのユーザーによってフォローされている１つ以上の投稿、前記マイクロブログ・フィードのユーザーについて言及する１つ以上の投稿、前記マイクロブログ・フィードのユーザーに関わる活動についての１つ以上の投稿、前記マイクロブログ・フィードのユーザーによって投稿される１つ以上のリンク、および前記マイクロブログ・フィードのユーザーによって好まれていると識別される１つ以上の投稿の内の１つ以上に基づいて前記コンテンツをフィルターするように動作可能である、システム。
【請求項１８】
請求項１１記載のシステムにおいて、前記プロセッサーが、更に、前記ユーザー・インターフェースにおける前記複数のビューのそれぞれの提示の間に、前記コンテンツの種別および優先度に基づいて、前記複数のビューのそれぞれにおいて前記コンテンツをフィルターする際に、
前記マイクロブログ・フィードにおける投稿を年代順にソートすること、および
前記マイクロブログ・フィードにおいて最近変更された投稿済みコンテンツに基づいて、前記マイクロブログ・フィードにおいて投稿をソートすること
を行うように動作可能である、システム。
【請求項１９】
コンピューターによって実施されると、マイクロブログ・フィード内のコンテンツを動的にフィルターする方法を前記コンピューターに実行させるコンピューター実行可能命令を含むコンピューター可読ストレージ媒体であって、前記方法が、
前記マイクロブログ・フィードのユーザーによって生成されるコンテンツの現在のビューを提示するユーザー・インターフェースを表示するステップであって、
前記ユーザー・インターフェースが、複数のビューの間を切り替え、通知を表示するためのタイトル・バーを含み、前記タイトル・バーが、現在隠れている複数の追加のビュー名を選択させるために、ユーザー制御の隣に単一のビュー名を表示し、前記タイトル・バーが更に、前記ユーザー・インターフェースに前記通知の内少なくとも１つを表示し、前記複数のビューが、フォロー中ビュー、＠自分ビュー、行動ビュー、リンク・ビュー、好みビュー、およびカスタム・ビューを含む、ステップと、
前記ユーザー・インターフェースにおける前記現在のビューの提示の間に、前記コンテンツの種別および優先度に基づいて、前記現在のビューにおいて前記コンテンツをフィルターするステップであって、
前記コンテンツの種別に基づいて前記コンテンツをフィルターするステップが、
前記マイクロブログ・フィードのユーザーによってフォローされている１つ以上の投稿、前記マイクロブログ・フィードのユーザーについて言及する１つ以上の投稿、前記マイクロブログ・フィードのユーザーに関わる活動についての１つ以上の投稿、前記マイクロブログ・フィードのユーザーによって投稿される１つ以上のリンク、および前記マイクロブログ・フィードのユーザーによって好まれていると識別される１つ以上の投稿の内の少なくとも１つ以上に基づいて前記コンテンツをフィルターするステップを含み、
前記コンテンツの優先度に基づいて前記コンテンツをフィルターするステップが、
前記マイクロブログ・フィードにおける投稿を年代順にソートするステップと、
前記マイクロブログ・フィードにおいて最近変更された投稿済みコンテンツに基づいて、前記マイクロブログ・フィードにおいて投稿をソートするステップと
の内の少なくとも１つを含む、ステップと、
前記現在のビューの表示の間に、前記タイトル・バーに新規のコンテンツ・アラートを表示するステップであって、前記新規のコンテンツ・アラートが前記複数のビューにおける少なくとも１つの他のビューについてのアラートを含む、ステップと、
前記複数のビューにおいて、前記現在のビューから他のビューに切り替えるために、前記タイトル・バー内に入力を受けるステップと、
前記ユーザー・インターフェース内に前記他のビューを表示するステップであって、前記他のビューにおける新規のコンテンツが前記ユーザー・インターフェースにおいてハイライトされる、ステップと
を含む、コンピューター可読ストレージ媒体。
【請求項２０】
請求項１９記載のコンピューター可読ストレージ媒体において、前記マイクロブログ・フィードの前記ユーザーによって生成された現在のビューを提示するユーザー・インターフェースを表示する前記ステップが、前記現在のビューに表示されるフィルター可能なコンテンツの異なる種別間を区別するために、シンボルおよびテキストの内少なくとも１つを表示するステップを含む、システム。